(57)【要約】【課題】ネジ締結部分において、通常の状態では強固な緩み止め機能を有する一方で、人為的にネジを締め付ける場合と緩める場合においては、行為を阻害することのないネジ締結方法を提供することを目的とする。【解決手段】ネジ締結の際に、雄ネジ部と雌ネジ部の嵌合部に熱可塑性材料を充填することで、本事例のネジ締結方法は強固な緩み止め効果を有する。またネジを締め付ける場合と緩める場合においては、熱を発するネジ留め工具を用いることで、熱可塑性材料が溶け、スムーズにネジを締め付ける、もしくは、緩めることが可能である。  さらに、従来のネジ緩み止め方法では、複数回使用でその性能が著しく下がるため、ネジをくり返しの使用ができないのに対し、本事例のネジ締結方法では、熱を加え、熱可塑性材料を適宜追加することで、ネジをくり返し使用することが可能である。【選択図】  図1
2009162333.tif 000002
【特許請求の範囲】
【請求項１】
雄ネジ部と、雌ネジ部が締結している締結部の隙間の少なくとも一部に、
熱可塑性樹脂が充填されており、
前記熱可塑性樹脂に熱を加えながら、
前記ネジの締結を行うことを特徴とするネジ締結方法。
【請求項２】
前記熱可塑性樹脂を加熱する手段は、ネジを着脱する手段と一体に形成されているネジ留め工具を用いることを特徴とする請求項１に記載のネジ締結方法。
【請求項３】
前記熱可塑性樹脂は、前記ネジまたは前記締結部の少なくともどちらか一方に付着されていることを特徴とする請求項１または２に記載のネジ締結方法。
【請求項４】
雄ネジ部と雌ネジ部はともに金属製部材であるか、
または、雄ネジ部は金属製部材で、雌ネジ部は、融点温度が前記熱可塑性樹脂の融点温度より高い合成樹脂であることを特徴とする請求項１から３の何れかに記載のネジ締結方法。
【請求項５】
ネジを着脱する手段と、ネジを加熱させる手段を備え、
雄ネジを加熱してネジの締め付け、または緩めることを特徴とするネジ留め工具。
【発明の詳細な説明】
【技術分野】
【０００１】
本発明は、ネジ締結方法に関するものである。
【背景技術】
【０００２】
ハンディターミナル等の携帯端末等は、頻繁に屋外で使用されるため、ぶつける、落とす等の要因で衝撃を繰り返し受ける可能性が高い。そのため携帯端末筐体の締結や内部部品の固定等に使用されるネジが緩んだり抜け落ちたりして、筐体の強度低下や電子部品のショートなどを引き起こすことが考えられる。そのため、携帯端末機器等では、ネジが緩まないよう対策をする必要がある。
【０００３】
ネジの締結方法としては、機械的な方法と接着剤による方法が挙げられる。機械的な方法としては、ワッシャー等の部品追加や、雄ネジ部分の特殊加工等が上げられるが、機械構成が複雑になり、コストアップの要因になりやすい。
【０００４】
接着剤による方法としては、嫌気性接着剤の使用が代表的であり、例えば、特許文献１では、ネジに嫌気性接着剤を塗布することで、ネジの緩み防止をしている。しかしながら、嫌気性接着剤は強い緩み止め効果を有するため、ネジを緩めるにはかなり大きなトルクが必要であり、ネジ本体のせん断や、ドライバとの係り止め形状の損傷、締結対象である製品筐体のネジ部損傷等の可能性がある。
【０００５】
そこで、特許文献２では、フッ素樹脂粉末もしくは、マイクロバルーンを嫌気性接着剤に配合することで、ネジを緩める際に必要なトルクを調整し、問題を解決している。
【特許文献１】特開平２−１６０８８１号  公報
【特許文献２】特開平６−２９９１２０号  公報
【発明の開示】
【発明が解決しようとする課題】
【０００６】
上記は、利便性の高い強固なネジの緩み止めを実現するものであるが、嫌気性接着剤が硬化するまでに時間がかかる問題がある。また、硬化してから一度ネジを緩めてしまうと、ネジを再び締めるのに必要なトルクが著しく減少してしまい、ネジを締めなおしても同じ緩み止め効果を得ることはできないというような問題があった。
【０００７】
従って、本発明の目的は、複雑な機械的構成を必要とせず、ネジの着脱に際し作業性を向上し、また、一度緩めてから再度締め付けたときも、強いネジ緩み止め効果を持つネジ緩み止め方法を提供することを目的とする。
【課題を解決するための手段】
【０００８】
上述した課題を解決し、目的を達成するために、本発明によるネジ締結方法は、雄ネジ部と、雌ネジ部が締結している締結部の隙間の少なくとも一部に、熱可塑性樹脂を有する状態とし、前記熱可塑性樹脂に熱を加えながら、前記ネジの締結を行うことを特徴とする。
【発明の効果】
【０００９】
本発明のネジ締結方法においては、ネジの緩み止め部材に熱可塑性樹脂を用いて、熱で加熱してネジの締結を行うようにしたため、締結後は加熱を停止すれば素早く固着されるし、緩めるには再び熱を加えることで、熱可塑性樹脂により生じる接着力または摩擦抵抗力が一時的に減少し、容易に取外すことができる。
【００１０】
また、一度ネジを緩めたとしても、熱可塑性材料を加熱するので、ネジ緩み止め効果を再び得ることが可能である。
【００１１】
また、ネジ嵌合部は熱可塑性材料が少なくとも一部に充填されているため、高い摩擦抵抗が生じる状態となり、振動や落下等の外的衝撃によりネジが緩むことを防止する。
【００１２】
さらに他の発明では、ネジを加熱させる手段を有するネジ留め工具を用いることによって、熱可塑性樹脂を軟化させる作業と、ネジを着脱する作業を同時に行うことが可能となり、作業が複雑化することがない。
【発明を実施するための最良の形態】
【００１３】
以下、本発明の好適な一実施形態について、図面を参照しながら詳細に説明する。図中、同じ符号は各図を通して共通の構成部材を示す。
【００１４】
図1は本発明の実施形態の一例であり、ネジ１により、不図示のハンディターミナルの蓋筐体２と筐体３が締結された構成の断面図である。ネジ１は、ドライバ係り止め形状６と雄ネジ部分７を有し、筐体３は、インサートナット８の挿入されたボス９を有し、インサートナット８はネジ１に対応した雌ネジ部分１０を有する。また、ネジ1と筐体３は、蓋筐体２を挟み込んだ締結状態にある。
【００１５】
ネジ１の雄ネジ部分７と筐体３の雌ネジ部分１０との間にある隙間１１の、全体もしくは少なくとも一部分に、熱可塑性樹脂５が充填された状態にある。熱可塑性樹脂５は、製造段階で予めネジ２に塗布しても良いし、締結直前に加熱したネジに塗布しても良いし、ペレット状の熱可塑性樹脂５を筐体３の有するインサートナット８の内側に埋め込んでも良いし、雌ネジ部１０の表面に半溶融の状態のものを付着させても良い。その他熱可塑性樹脂は、雄ネジまたは締結部である雌ネジ部の、少なくともどちらか一方に備えられていれば良い。
【００１６】
また、雄ネジ部と雌ネジ部はともに金属製部材であるか、あるいは、雄ネジ部が金属製部材で、雌ネジ部は、ネジに付着している熱可塑性樹脂の融点温度より高い融点温度を有する合成樹脂であることとする。
【００１７】
本発明の一実施例のネジ留め工具４は、ネジを着脱する手段として、ネジ１のドライバ係り止め形状６に対応する先端形状１２と、ネジを加熱させる手段として、ヒータ１６を有している。ネジ留め工具１４のヒータ１６の熱は、ドライバ形状１９部を伝熱し、ネジ１を介して熱可塑性樹脂を加熱する。
【００１８】
さらに詳しく動作について説明する。ネジ留め工具４を用いて雄ネジ部を加熱することで、雄ネジ部に付着した熱可塑性樹脂は溶解・軟化状態になる。軟化した状態でネジ締めを行うことで、雄ネジ部と雌ネジ部との間に熱可塑性樹脂が隙間なく充填される。そして、雄ネジ部と雌ネジ部を勘合させた後、ネジ留め工具４を雄ネジ部から離すと、熱可塑性樹脂が冷え固まるため、雄ネジ部と雌ネジ部とが隙間なく締結され、強固なネジ緩み止め効果を有することができる。また、熱可塑性樹脂が前述のようにインサートナットの内側に付着されている場合は、雄ネジが挿入されるとほぼ同時に熱可塑性樹脂は溶解・軟化状態になる。その後の作用は上述と同様である。
【００１９】
ネジを緩めるときは、ネジ留め工具４を用いてネジを加熱することによって、雄ネジ部と雌ネジ部との間の熱可塑性樹脂が軟化して、少ないトルクで容易にネジを緩めることができる。
【００２０】
このように、本発明のように熱を加えながらネジの締結を行う方法では、ネジを着脱するトルクが少ないため、ネジ本体や被締結対象が破壊されるリスクを低減できる。また、一度ネジを緩めてもネジが破損することがないため、熱可塑性樹脂を適宜追加すれば、ネジを繰り返し使用することができる。
【００２１】
なお、本発明は、ネジ部が、熱可塑性樹脂を軟化させる程度の熱を帯びていれば目的を達成できる。したがって、雄ネジ部がネジ留め工具４によって加熱される場合だけに限らず、例えば筐体が金属製部材である場合のときは、筐体の雌ネジ部をヒータなどの手段を用いて加熱しても良い。または、高温の雰囲気の中で加熱した雄ネジ部または雌ネジ部を、例えば人の手によらずに締結しても良いし、その他外部加熱によって熱可塑性樹脂が熱を帯びるような手段であれば良い。
【００２２】
また、ネジの被締結対象の融点温度は、ネジ留め工具の発生する熱の温度に比べ十分に高い温度であり、また、ネジ留め工具の発する熱の温度は、ネジを介しての接触であっても、熱可塑性樹脂を溶かすことが可能な温度であることとする。
【００２３】
図２は、図１に示す構成から、ネジ留め工具４を取り除いた構成を示している。隙間１１の少なくとも一部に充填された熱可塑性樹脂５は固体状態であり、熱可塑性樹脂５はネジ１の雄ネジ部分７と筐体３の雌ネジ部分１０に固着している。
【００２４】
また、熱可塑性樹脂５を充填する位置は、隙間１１だけでなく、ネジ頭部１ａと蓋筐体２の間の隙間１３でも良く、ネジ先端部１ｂと筐体３の隙間１４でも良い。隙間１３に充填した場合においては、熱源から近いため、ネジ留め工具４の熱が熱可塑性樹脂５に伝わりやすく、ネジを着脱する作業の作業性が良く好適である。隙間１４に充填した場合においては、ネジを着脱する作業時に、筐体３に熱可塑性樹脂５が固着することが少ないため、筐体３の外観を汚す可能性が低く好適である。
【００２５】
図３はネジを加熱する手段（機能）と、ネジを締め付けたり緩める手段（機能）とを一体に有するネジ留め工具４の本発明における実施形態の一例である。ネジ留め工具４は、ネジ係り止め対応形状１５と、ヒータ１６と、電力供給手段１７と、ヒータへの電力供給を制御するスイッチ１８を有している。スイッチ１８を操作すると、電力供給手段１７からヒータ１６に電力が供給され、ヒータ１６は熱を発する。ヒータ１６の発する熱は、ドライバ形状１９の有する熱伝導部２０を介し、ネジ係り止め対応形状１５を熱可塑性樹脂５が溶融可能な温度まで加熱する。
【００２６】
電力供給手段１７は、ケーブル等により外部電源から供給しても良いし、電池等による内部電源からの供給でも良い。また、スイッチ１８は、ON/OFF制御のみのスイッチでも良いし、ヒータ温度を微調整できるスイッチでも良い。また、ネジ係り止め対応形状１５は、プラス型やマイナス型などの一般的なネジに対応した形状でも良いし、ネジ形状を用いた締結部品に対応した係り止め形状であればどのような形状でも良く、交換取付け可能にしても良い。また、ネジを加熱させる手段として、他にも、ＩＨのような電磁加熱式のものにすることで、使用者が安全に扱うことができるため好適である。
【００２７】
熱可塑性樹脂の加熱にこのようなネジ留め工具４を用いることによって、熱可塑性材料を軟化させる作業と、ネジを着脱する作業とを同時に行うことが可能となり、作業が複雑化することがなく効率が良い。
【００２８】
以上、本発明の一実施形態を図面に沿って説明したが、本発明は前記実施形態において示された事項に限定されず、特許請求の範囲及び発明の詳細な説明の記載、並びに周知の技術に基づいて、その変更・応用を行うことができる範囲が含まれる。
【００２９】
以上のように、本発明においては、熱を加えることで熱可塑性材料が流動化するため、人為的にネジを着脱するときにトルクが少なくて済み、ネジ本体や被締結対象が破壊されるリスクを低減できる。さらに、ネジが破損しないため、熱可塑性樹脂を適宜追加すれば、ネジを繰り返し使用することができる。
また、嫌気性接着剤を使用した場合、ネジ穴からはみ出してしまうと、大気に触れているものは硬化しないなどの問題があるが、熱可塑性樹脂を用いることによって、加熱を停止することにより素早く硬化させることができる。
【００３０】
また他の発明では、ネジの被締結対象を、緩み止めに用いた熱可塑性樹脂の融点より高い融点を有するような金属製部材や合成樹脂にすることによって、ネジを締め付けたり緩めるときに、熱可塑性樹脂を加熱する熱が被締結対象を傷つけることがなく好適である。そのため、例えばサービスや修理などで行われるネジの再締結作業などにおいて、熱により被締結対象を傷つけることがなく、より利便性を高めることができる。
【００３１】
また他の発明では、ネジ留め工具を用いることによって、熱可塑性樹脂の加熱とネジの着脱が同時にできるため作業性が良い。
【００３２】
以上のように締結したネジと締結対象は、強固なネジ緩み止め効果を有する。
【図面の簡単な説明】
【００３３】
【図１】本発明を適用できる実施形態説明図
【図２】本発明を適用できる実施形態説明図
【図３】本発明を適用できるネジ留め工具の実施形態説明図
【符号の説明】
【００３４】
１    ネジ
１ａ  ネジ頭部
１ｂ  ネジ先端部
２    蓋筐体
３    筐体
４    ネジ留め工具
５    熱可塑性樹脂
６    ドライバ係り止め形状
７    雄ネジ部分
８    インサートナット
９    ボス
１０  雌ネジ部分
１１  隙間
１２  先端形状
１３  隙間
１４  隙間
１５  ネジ係り止め形状
１６  ヒータ
１７  電力供給手段
１８  スイッチ
１９  ドライバ形状
２０  熱伝導部分
【図１】
2009162333.tif 000003
【図２】
2009162333.tif 000004
【図３】
2009162333.tif 000005